(57)【要約】【課題】剥離シートの剥離行為の前後でデザインが変化することにより使用者に興味を与えることができるようにする。【解決手段】  第１デザインＤ１と第２デザインＤ２とは関連性を有しかつ相互は異なるデザインとされている。粘着剤層５１からの剥離シート５２の剥離により、剥離シート５２により隠蔽されていた隠れデザインＤ０が視認可能となるとともに、隠れデザインＤ０は第１デザインＤ１と関連性を有しかつ相互は異なるデザインである。【選択図】図１２
2019063004.tif 000002
【特許請求の範囲】
【請求項１】
液透過性トップシートと、液不透過性シートと、これらの間に介在された吸収体と、アウターの内面に固定するための固定部とを備えた、アウター固定タイプ使い捨ておむつにおいて、
前記固定部は、おむつと一体である基材シートと、この基材シート外面に形成された粘着剤層と、この粘着剤層を覆う剥離シートとを備え、前記剥離シートを剥離した状態で、着用対象品にあてがわれて固定される使い捨ておむつであって、
前記基材シート又はその内面側シートの少なくとも一部には前記基材シートの外面側から視認可能な第１デザインが形成され、
前記剥離シートの少なくとも一部には外面側から視認可能な第２デザインが形成され、
前記剥離シートの第２デザインが形成された隠蔽領域は、第１デザインを隠蔽又は不明りょうとする領域であり、
前記第１デザインと前記第２デザインとは関連性を有しかつ相互は異なるデザインであり、
前記剥離シートの剥離により、前記隠蔽領域により隠蔽されていた隠れデザインが視認可能となるとともに、
前記隠れデザインは第１デザインと関連性を有しかつ相互は異なるデザインである、
ことを特徴とするアウター固定タイプ使い捨ておむつ。
【請求項２】
前記液不透過性シートが前記基材シートである請求項１記載のアウター固定タイプ使い捨ておむつ。
【請求項３】
剥離シート全体が前記隠蔽領域である請求項１記載のアウター固定タイプ使い捨ておむつ。
【請求項４】
前記隠れデザインは、前記第２デザインと同じデザイン要素を含む請求項３記載の
アウター固定タイプ使い捨ておむつ。
【請求項５】
前記隠れデザインは、前記第２デザインと同じデザイン要素と前記第２デザイン要素とは異なるデザイン要素を含む請求項３記載のアウター固定タイプ使い捨ておむつ。
【請求項６】
前記隠れデザインは、前記第２デザインと同じデザインモチーフの変形デザインモチーフを含む請求項３記載のアウター固定タイプ使い捨ておむつ。
【請求項７】
前記隠れデザインは、前記第２デザインと同じデザイン要素と前記第２デザイン要素とは異なる付加デザイン要素を含み、この付加デザイン要素は粘着剤層の色違いにより形成されている請求項３記載のアウター固定タイプ使い捨ておむつ。
【請求項８】
前記第１デザイン及び前記隠れデザインはそれぞれテーマが異なる複数のデザインを有し、各々の前記隠れデザインは、対応する各々の前記第１デザインと共通するテーマとされ、前記第２デザインは各テーマを示す又は暗示するテーマのデザインが複数形成されている請求項３記載のアウター固定タイプ使い捨ておむつ。
【請求項９】
前記第１デザイン及び前記隠れデザインはそれぞれテーマが異なる複数のデザインを有し、各々の前記隠れデザインは、対応する各々の前記第１デザインと関連する意味のデザインとされ、前記第２デザインは各意味を示す又は暗示する意味のデザインが複数形成されている請求項３記載のアウター固定タイプ使い捨ておむつ。
【請求項１０】
前記隠れデザインは、前記第２デザインと同じデザイン要素と前記第２デザイン要素とは異なる付加デザイン要素を含み、この付加デザイン要素は、基材シートに予め形成された排尿検知用インジケータにおける排尿があったことの指示部によって形成されている請求項３記載のアウター固定タイプ使い捨ておむつ。
【請求項１１】
液透過性トップシートと、液不透過性シートと、これらの間に介在された吸収体と、アウターの内面に固定するための固定部とを備えた、アウター固定タイプ使い捨ておむつにおいて、
前記固定部は、おむつと一体である基材シートと、この基材シート外面に形成された粘着剤層と、この粘着剤層を覆う剥離シートとを備え、前記剥離シートを剥離した状態で、着用対象品にあてがわれて固定される使い捨ておむつであって、
前記基材シート又はその内面側シートの少なくとも一部には前記基材シートの外面側から視認可能な第１デザインが形成され、
前記剥離シートの内面には視認可能な第２デザインが形成され、
前記基材シートの第１デザインは前記剥離シートにより隠蔽され、
前記第１デザインと前記第２デザインとは関連性を有しかつ相互は異なるデザインであり、
前記剥離シートの剥離により、前記剥離シートにより隠蔽されていた隠れデザインが視認可能となるとともに、前記第２デザインが視認可能となる、
ことを特徴とするアウター固定タイプ使い捨ておむつ。
【発明の詳細な説明】
【技術分野】
【０００１】
本発明は、特にテープタイプやパンツタイプ等の使い捨ておむつ又は下着（以下、総称してアウターともいう）の内面に固定して使用されるアウター固定タイプの使い捨ておむつに関するものである。
【背景技術】
【０００２】
このようなアウター固定タイプの代表的なものとして、おむつ交換費用の低減や、トイレトレーニングを目的としてアウターの内面に取り付けて使用される、一般的に吸収パッドと呼ばれるパッドタイプ使い捨ておむつがある（例えば特許文献１または２参照）。
【０００３】
一般的なパッドタイプ使い捨ておむつは、透液性トップシートと不透液性シートとの間に吸収体が介在されてなる基本構造を有しており、製品によっては不織布等からなる外装シートによって不透液性シートの裏面側が覆われている。また、一般的なパッドタイプ使い捨ておむつの裏面には、粘着剤層又は面ファスナー（メカニカルファスナー）のフックテープからなる固定部が設けられており、この固定部がおむつ又は下着の内面に係止されることにより装着時のズレが防止されるようになっている。
【０００４】
吸収性物品、特に幼児用のおむつにおいて、肌側面と反対の外側に絵柄や印字を施し、商品の識別や商品特長を訴求することがある。
パッドタイプ使い捨ておむつにおいては、布パンツや紙おむつに装着するために、肌側面と反対の外側に粘着剤層を設け、その外側に剥離シート（通常は剥離紙）を設け、装着時には剥離シートを剥がし、粘着剤層を介して布パンツや紙おむつに装着している。
【先行技術文献】
【特許文献】
【０００５】
【特許文献１】特許４３９２８５７号公報
【特許文献２】特開５５６４２９３号公報
【発明の概要】
【発明が解決しようとする課題】
【０００６】
商品の識別や商品特長を訴求するために、肌側面と反対の外側に絵柄や印字などのデザインシートを形成したとしても、装着用の粘着剤層及び剥離紙を設けた場合には、そのデザインが隠れてしまう。
そこで、剥離シートにデザインを形成するか、剥離シートで隠れない領域にデザインを形成することが行われる場合がある。
【０００７】
かかる態様において、この種の剥離シートにデザインを形成することと、剥離シートで隠れない領域にデザインを形成することとは、両デザインと剥離シートの剥離行為との関連はない。
【０００８】
他方、特に幼児用のおむつにおいては、親子で楽しむことができるデザインが好まれる傾向があり、種々のキャラクターが案出されている。
【０００９】
しかし、従来のアウター固定タイプ使い捨ておむつにおけるデザインは、例えばキャラクターを楽しむ程度のものであった。
【００１０】
そこで本発明の主たる課題は、剥離シートの剥離行為の前後でデザインが変化することにより使用者に興味を与えることができるアウター固定タイプ使い捨ておむつを提供することにある。
【課題を解決するための手段】
【００１１】
上記課題を解決した本発明は次記のとおりである。
液透過性トップシートと、液不透過性シートと、これらの間に介在された吸収体と、アウターの内面に固定するための固定部とを備えた、アウター固定タイプ使い捨ておむつにおいて、
前記固定部は、おむつと一体である基材シートと、この基材シート外面に形成された粘着剤層と、この粘着剤層を覆う剥離シートとを備え、前記剥離シートを剥離した状態で、着用対象品にあてがわれて固定される使い捨ておむつであって、
前記基材シート又はその内面側シートの少なくとも一部には前記基材シートの外面側から視認可能な第１デザインが形成され、
前記剥離シートの少なくとも一部には外面側から視認可能な第２デザインが形成され、
前記剥離シートの第２デザインが形成された隠蔽領域は、第１デザインを隠蔽又は不明りょうとする領域であり、
前記第１デザインと前記第２デザインとは関連性を有しかつ相互は異なるデザインであり、
前記剥離シートの剥離により、前記隠蔽領域により隠蔽されていた隠れデザインが視認可能となるとともに、
前記隠れデザインは第１デザインと関連性を有しかつ相互は異なるデザインである、
ことを特徴とするアウター固定タイプ使い捨ておむつ。
【００１２】
本発明においては、剥離シートの剥離により、例えば剥離紙で形成された隠蔽性を示す剥離シート自体により隠蔽されていた隠れデザイン、あるいは剥離シートが例えばプラスチックシートでその一部が透明又は半透明で残部が隠蔽性である剥離シートの隠蔽領域により、隠蔽されていた隠れデザインが視認可能となる。
基材シートには、外面側から視認可能な第１デザインが形成され、剥離シートには外面側から視認可能な第２デザインが形成され、第１デザインと第２デザインとは関連性を有しかつ相互は異なるデザインである。
その結果、剥離シートの剥離により、隠蔽されていた隠れデザインを視認すると、この隠れデザインは、第２デザインと関連性を有するので、剥離シートを剥離する行為によって、新たなデザインが顕出することになり、特に幼児用のおむつの装着介護者（通常は親）にとって、剥離シートを剥離しておむつを布パンツや紙おむつに装着することに負担を感じない又は負担感が和らぐようになり、他方、ある程度知能の発達した幼児にとって、新たなデザインが顕出することに興味を抱くようになる。
この点、単に、剥離シートにデザインを施す場合に比較して、消費者に対する商品価値の訴求力を高めることができる。
本発明は具体例を示さないと直ちには理解しがたい。そこで、後に示す実施の形態を図面及び符号を参照しながら理解するのが望まれる。
【００１３】
前記液不透過性シートを、前記基材シートとすることもできるが、前記液不透過性シートに対して別のシート（例えば後述する実施の形態の外装シート）を貼着して本発明の基材シートとすることもできる。
【００１４】
既述のように、例えば剥離紙で剥離シートを形成する場合、剥離シート全体を隠蔽領域とすることができる。
【００１５】
隠れデザインは、第２デザインと同じデザイン要素を含むことができる。
【００１６】
前記隠れデザインは、前記第２デザインと同じデザイン要素と前記第２デザイン要素とは異なるデザイン要素を含むことができる。
【００１７】
前記隠れデザインは、前記第２デザインと同じデザインモチーフの変形デザインモチーフを含むことができる。
【００１８】
前記隠れデザインは、前記第２デザインと同じデザイン要素と前記第２デザイン要素とは異なる付加デザイン要素を含み、この付加デザイン要素は粘着剤層の色違いにより形成されている態様を提案する。
【００１９】
前記第１デザイン及び前記隠れデザインはそれぞれテーマが異なる複数のデザインを有し、各々の前記隠れデザインは、対応する各々の前記第１デザインと共通するテーマとされ、前記第２デザインは各テーマを示す又は暗示するテーマのデザインが複数形成されている態様も提案する。
【００２０】
さらに、前記第１デザイン及び前記隠れデザインはそれぞれテーマが異なる複数のデザインを有し、各々の前記隠れデザインは、対応する各々の前記第１デザインと関連する意味のデザインとされ、前記第２デザインは各意味を示す又は暗示する意味のデザインが複数形成されている態様を提案さらにする。
【００２１】
前記隠れデザインは、前記第２デザインと同じデザイン要素と前記第２デザイン要素とは異なる付加デザイン要素を含み、この付加デザイン要素は、基材シートに予め形成された排尿検知用インジケータにおける排尿があったことの指示部によって形成されている態様も採用できる。
【００２２】
他方で、
前記基材シート又はその内面側シートの少なくとも一部には前記基材シートの外面側から視認可能な第１デザインが形成され、
前記剥離シートの内面には視認可能な第２デザインが形成され、
前記基材シートの第１デザインは前記剥離シートにより隠蔽され、
前記第１デザインと前記第２デザインとは関連性を有しかつ相互は異なるデザインであり、
前記剥離シートの剥離により、前記剥離シートにより隠蔽されていた隠れデザインが視認可能となるとともに、前記第２デザインが視認可能となる、態様もある。
この態様では、剥離シートの剥離後にデザインを楽しむのではなく、剥離シートの剥離過程でその裏面に形成されたデザインを、隠れデザインとの関係で興味をひくようにしたものである。
【発明の効果】
【００２３】
以上の通り本発明によれば、剥離シートの剥離行為の前後でデザインが変化することにより使用者に興味を与えることができるアウター固定タイプ使い捨ておむつとなる。
なお、ここにいう「剥離行為の前後」とは、完全に剥離シートの剥離が完了した段階のほか、剥離シートの剥離が開始されて完了するまでの剥離過程も含む意味である。
【図面の簡単な説明】
【００２４】
【図１】パッドタイプ使い捨ておむつの展開状態の表面側を示す平面図である。
【図２】パッドタイプ使い捨ておむつの展開状態の裏面側を示す平面図である。
【図３】図１のＡ−Ａ断面図である。
【図４】図１のＢ−Ｂ断面図である。
【図５】図１のＣ−Ｃ断面図である。
【図６】パッドタイプ使い捨ておむつの装着要領を示す斜視図である。
【図７】尿外部導出体の（ａ）平面図、（ｂ）Ｄ−Ｄ断面図、（ｃ）Ｅ−Ｅ断面図、（ｄ）Ｆ−Ｆ断面図である。
【図８】パッドタイプ使い捨ておむつの装着要領を示す斜視図である。
【図９】説明図である。
【図１０】説明図である。
【図１１】説明図である。
【図１２】説明図である。
【図１３】説明図である。
【図１４】説明図である。
【図１５】説明図である。
【図１６】説明図である。
【発明を実施するための形態】
【００２５】
以下、本発明の一実施形態について添付図面を参照しつつ説明する。
図１〜図６は、パッドタイプ使い捨ておむつ２００を示している。このパッドタイプ使い捨ておむつ２００は、前後方向中央に対して前側に延在する腹側部分Ｆ１及び後側に延在する背側部分Ｂ１とを有するものである。各部の寸法は適宜定めることができ、例えば、物品全長（前後方向長さ）Ｌ１は１５０〜４５０ｍｍ程度、全幅Ｗ１は１２０〜２００ｍｍ程度とすることができる。
【００２６】
パッドタイプ使い捨ておむつ２００は、液不透過性シート２１の内面と、透液性トップシート２２との間に、吸収体２３が介在された基本構造を有している。吸収体２３としては、パルプ繊維の積繊体、セルロースアセテート等のフィラメントの集合体、あるいは不織布を基本とし、必要に応じて高吸収性ポリマーを混合、固着等してなるものを用いることができる。必要に応じて、吸収体２３はクレープ紙（図示せず）により包むことができる。また、吸収体２３の形状は、相対的に前側の部分が後側の部分よりも幅広な帯状、あるいは長方形状、台形状等、適宜の形状とすることができる。吸収体２３における繊維目付け及び吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。
【００２７】
吸収体２３の裏面側には、液不透過性シート２１が吸収体２３の周縁より所定長さ食み出すように設けられている。液不透過性シート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００２８】
液不透過性シート２１の外面（裏面）は、外装シート２５により覆われている。外装シート２５としては各種の不織布を用いることができる。なお、不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
この外装シートは設けないことができる。
【００２９】
吸収体２３の表面側は、透液性トップシート２２により覆われている。図示形態ではトップシート２２の側縁から吸収体２３が一部食み出しているが、吸収体３の側縁が食み出さないようにトップシート２２の幅を広げることもできる。トップシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００３０】
パッドタイプ使い捨ておむつ２００の前後方向両端部では、外装シート２５および透液性トップシート２２が吸収体２３の前後端よりも前後両側にそれぞれ延在されて貼り合わされ、吸収体２３の存在しないエンドフラップ部ＥＦが形成されている。
【００３１】
パッドタイプ使い捨ておむつ２００の両側部では、液不透過性シート２１が吸収体２３の側縁よりも外側にそれぞれ延在され、この延在部からトップシート２２の側部までの部分の内面にはギャザーシート２４の幅方向外側の部分２４ｘが前後方向全体にわたり貼り付けられ、吸収体２３の存在しないサイドフラップ部ＳＦを構成している。これらを含め、素材の貼り合わせ部分は、ホットメルト接着剤、ヒートシール、超音波シールにより形成でき、図面では斜線模様で示されている。
【００３２】
これらエンドフラップ部ＥＦ及びサイドフラップ部ＳＦ以外の吸収体介在部分が、排泄物を保持する本体部を構成する。
【００３３】
ギャザーシート２４の素材としては、プラスチックシートやメルトブローン不織布を使用することもできるが、肌への感触性の点で、不織布にシリコーンなどにより撥水処理をしたものが好適に使用される。
【００３４】
ギャザーシート２４の幅方向中央側の部分２４ｃはトップシート２２上にまで延在しており、その幅方向中央側の端部には、細長状弾性部材２４Ｇが前後方向に沿って伸張状態でホットメルト接着剤等により固定されている。この細長状弾性部材２４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコーン、ポリエステル等、通常使用される素材を用いることができる。
【００３５】
両ギャザーシート２４，２４は、幅方向外側の部分２４ｘが前後方向全体にわたり物品内面（図示形態ではトップシート２２表面および外装シート２５内面）に貼り合わされて固定されるとともに、幅方向中央側の部分２４ｃが、前後方向の両端部では物品内面（図示形態ではトップシート２２表面）に貼り合わされて固定され、かつ前後方向の両端部の間では物品内面（図示形態ではトップシート２２表面）に固定されていない。この非固定部分は、図４に示されるように、物品内面（図示形態ではトップシート２２表面）に対して起立可能な立体ギャザーとなる部分であり、その起立基端２４ｂはギャザーシート２４における幅方向外側の固定部分２４ｘと内側の部分２４ｃとの境に位置する。
【００３６】
そして、図２、図３および図５に示すように、パッドタイプ使い捨ておむつ２００の外装シート２５の裏面には、粘着剤層３０が設けられ、剥離可能に被覆する剥離シート３１を有する固定部が形成されている。
【００３７】
図示例では、固定部を前後方向に沿って連続的に設けているが、腹側部分Ｆ１及び背側部分Ｂ１のそれぞれに設けたり、いずれか一方のみに設けたりしても良い。固定部を複数設ける場合、腹側部分Ｆ１及び背側部分Ｂ１に各少なくとも一つは設けるのが好ましい。
【００３８】
固定部は、その全体が本体部Ｂ０の範囲内に収まるような寸法及び配置となっているのが好ましい。具体的には、固定部の幅Ｗ３は吸収体２３の幅Ｗ２の７０〜８０％程度、前後方向長さＬ３（前後方向に複数設ける場合は総長さ）は吸収体２３の全長Ｌ２の３０〜４０％程度であるのが好ましい。
【００３９】
本発明においては、固定部に関しデザイン上の工夫を行ったものである。
【００４０】
以下の実施の態様は、断りのない限り、図７に示すように、外装シート２５を有しないで、液不透過性シート２１が基材シートである例である、アウター固定タイプ使い捨ておむつの例である。
また、図２に示す形態と異なり、以下の態様では、図面上、剥離シート５２に対して、基材シート５０の幅は適宜に図示し、長さは同一として図示してある。
【００４１】
本発明における用語、「デザイン」「デザイン要素」「付加デザイン要素」「モチーフ」「テーマ」は可能な限り広く解釈すべきものである。
「デザイン」は絵、図柄、記号、模様、文字等を含む。
「デザイン要素」はデザインの全体又は部分を含む。したがって、「同じデザイン要素」とは、対象のデザイン全体とまったく同じ場合のほか、対象のデザインの部分と同じ場合を含む。「異なるデザイン要素」とは、対象のデザイン全体とまったく異なる場合のほか、対象のデザインの部分と異なる場合を含む。
「付加デザイン要素」とは、対象のデザイン要素に対して、対象のデザイン要素にない新たに（又は別に）加えたデザイン要素を意味する。
「モチーフ」とはデザイン表現の動機となった中心思想、あるいはデザイン表現の中心的構成を意味する。
「テーマ」とは、デザイン創作の基調となる考え又は主題を意味する。
さらに、本発明は、これらの用語に係るデザインを組み合せた場合も含まれることに注意されたい。
【００４２】
＜第１の態様＞
図８は第１の態様を示したもので、基材シート５０（又はその内面側シート）の少なくとも一部には基材シート５０の外面側から視認可能な第１デザインＤ１が形成され、
剥離シート５２の少なくとも一部には外面側から視認可能な第２デザインＤ２が形成され、
剥離シート５２により隠蔽された（あるいは第２デザインＤ２によって隠蔽された）隠蔽領域（図示の態様では剥離シート５２の全体が隠蔽領域を形成する。もちろん、剥離シート５２の一部を隠蔽領域とすることができる。図１４の態様及び図１６の態様を参照）は、隠れデザインＤ０を隠蔽又は不明りょうとする領域である。ここに「不明りょうとする」とは、第１デザインＤ１全体が（例えばぼやけて）隠れデザインＤ０を見えにくい、あるいは隠れデザインＤ０の一部のみしか視認できず、隠れデザインＤ０をデザインとして把握できにくい場合を含むものである。
他方、第１デザインＤ１と第２デザインＤ２とは関連性を有しかつ相互は異なるデザインとされている。すなわち両者は樹木デザインとして関連するが、第１デザインＤ１のみに動物を有する（付加で動物を有する）点で相違する。
そして、剥離シート５２の剥離により、隠蔽領域により隠蔽されていた隠れデザインＤ０が視認可能となる。隠れデザインＤ０は第１デザインＤ１と関連性を有しかつ相互は異なるデザインである態様である。
【００４３】
第１の態様は、隠れデザインＤ０は、第２デザインＤ２と同じデザイン要素（例えば樹木デザイン）を含む。
【００４４】
隠れデザインＤ０は、第２デザインＤ２と同じデザイン要素（例えば樹木デザイン）と第２デザイン要素（例えば樹木デザイン）とは異なるデザイン要素ｂｄ（例えば動物のデザイン）を含んでいる。
【００４５】
また、隠れデザインＤ０は、第２デザインＤ２と同じデザインモチーフ（樹木モチーフ）の変形デザインモチーフ（例えば第２デザインＤ２が広葉樹であるが、変形デザインモチーフが針葉樹である場合）を含む場合でもよい（図示せず）。
【００４６】
＜第２の態様＞
図９に示す第２の態様では、隠れデザインＤ０は、第２デザインＤ２（例えば夜のビル群）と同じデザイン要素（例えば夜のビル群）と第２デザイン要素Ｄ２（例えば夜のビル群とは異なる追加デザイン要素ｃｄ（例えば夜空に輝く星及びビルの窓）を含み、この付加デザイン要素ｂｄは粘着剤層３０の色違いにより形成したものである。
【００４７】
＜第３の態様＞
図１０に示す第３の態様では、隠れデザインＤ０（例えば小魚群）は、第２デザインＤ２（例えば成魚群）と同じデザインモチーフ（例えば魚群）を含み、この隠れデザインＤ０（例えば小魚群）は粘着剤層３０の色違いにより形成したものである。ここで、隠れデザインＤ０（例えば小魚群）は、第１デザインＤ１（例えば成魚群）と同じデザインモチーフ（例えば魚群）を含んでいる。なお、図示の態様は、第１デザインＤ１（例えば成魚群）と第２デザインＤ２（例えば成魚群）とは同一デザインである。
【００４８】
＜第４の態様＞
図１１に示す第４の態様では、第１デザインＤ１及び隠れデザインＤ０はそれぞれテーマが異なる複数のデザイン（ニワトリに関するテーマ、カエルに関するテーマ、ミツバに関するテーマ）を有し、各々の隠れデザインＤ０は、対応する各々の第１デザインＤ１と共通するテーマとされ（各テーマの成長過程のデザイン）、第２デザインＤ２は各テーマを示す又は暗示するテーマのデザイン（やや不明りょうに描かれている）が複数形成されているものである。
【００４９】
＜第５の態様＞
図１２に示す第５の態様では、第１デザインＤ１及び隠れデザインＤ０はそれぞれテーマが異なる複数のデザイン（ニワトリに関するテーマ、カエルに関するテーマ、サカナに関するテーマ）を有し、各々の隠れデザインＤ０は、対応する各々の第１デザインＤ１と関連する意味のデザイン（各テーマの意味を示す文字デザイン）とされ、第２デザインＤ２は各意味を示す又は暗示する意味のデザインが複数形成されている態様である。
【００５０】
＜第６の態様＞
図１３に示す第６の態様では、第１の態様と同じく、隠れデザインＤ０は、第２デザインＤ２と同じデザイン要素（例えば樹木デザイン及び動物）と、この第２デザイン要素（とは異なる付加デザイン要素ａｄ（例えば動物の涙のデザイン）を含んでいる。
さらに、この付加デザイン要素ａｄは、基材シートとしての不透過性シート２１の内面（着用者側の面）に、水可溶性インクを用いて印刷し、さらに上から水発色インクで排尿を促すデザインを印刷したもので、排尿によって付加デザイン要素ａｄが現れ、第２デザインＤ２が変化した状態としての隠れデザインＤ０が現れる。
この態様によれば、剥離シート５２の剥離と排尿とデザインの変化とが関連し、排尿と通しての親子のコミュニケーションの促進を図ることができ、結果として、幼児に対して、トイレを使用することに向かわせるトレーニングを行わせることができる。
【００５１】
この第６の態様において、付加デザイン要素ａｄをいわゆるインジケータによって形成する場合、インジケータとしては、尿との接触により呈色反応を示すような着色剤や、尿中のｐＨを検知して呈色反応を示すような着色剤、或いは尿との反応により着色が消失する反応、尿に溶解（分散）して滲んだり消失したりする反応、その他の視覚的変化を示す薬剤を、適宜の溶剤や接着剤（ホットメルト接着剤等）に混合した状態で、基材シートに対して塗布することにより形成することができる。尿などの水分との接触により呈色反応を示すような着色剤としては、例えば、水溶性、水分解性染料又はロイコ染料と該ロイコ染料を発色させるフェノール性化合物、酸性物質、電子受容性物質等の顕色剤とからなる着色剤を使用することが可能である。呈色により現れる色は特に限定されない。
【００５２】
＜第７の態様＞
既に説明した態様では、剥離シート５２（例えば剥離紙）により隠れデザインＤ０に対する隠蔽領域を形成したものである。
これに対し、図１４に示す第７の態様では、剥離シート５２の一部を、例えば図示のように両側部５２ａ，５２ａを透明又は半透明としたものである。その結果、剥離シート５２の幅方向中央部のみが隠れデザインＤ０に対する隠蔽領域を形成している。
【００５３】
また、既に説明した態様では、剥離シート５２は基材シート５０に対して１対１の関係にあるが、剥離シート５２は基材シート５０枚に対して複数枚でもよく、図１４に示す第７の態様は、２枚の剥離シート５２，５２を設けた例を示している。
【００５４】
＜第８の態様＞
図１５に示す態様は、既に説明した態様とかなり異なる態様であるが、剥離シートの剥離を契機としてデザインが変化する点では既に説明した態様と同一である。そして、本発明の各態様は、「剥離シートの剥離を契機としてデザインが変化する」点を技術思想として提案するものである。
さて、図１５に示す態様は、基材シート５０又はその内面側シートの少なくとも一部には基材シート５０の外面側から視認可能な第１デザインＤ１が形成され、剥離シート５２の内面には視認可能な第２デザインＤ２が形成され、基材シート５０の隠れデザインＤ０は剥離シート５２により隠蔽され、第１デザインＤ１と第２デザインＤ２とは関連性を有しかつ相互は異なるデザインであり、剥離シート５２の剥離により、剥離シート５２により隠蔽されていた隠れデザインＤ０が視認可能となるとともに、第２デザインＤ２も視認可能となるものである。
【００５５】
この場合、第２デザインＤ２は、隠れデザインＤ０とも関係するのが望ましい。
図１５に示す態様では、第１デザインＤ１としては海の波であり、第２デザインＤ２は、海の波上からイルカがジャンプしたデザインである。
なお、図示のように、剥離シート５２の外面には適宜のデザイン、例えば第１デザインＤ１と同じ又は関連したデザインを形成することができる。
【００５６】
＜第９の態様＞
図１６に示す態様は、図１５に示す第８態様と類似するものである。
すなわち、剥離シート５２の一部を、例えば図示のように両側部５２ａ，５２ａを透明又は半透明としたものである。
その結果、剥離シート５２を剥離しない状態で、基材シート５０の外面に形成された第１デザインが視認可能である。
剥離シート５２の幅方向中央部は、その部分自体が隠れデザインＤ０の隠蔽領域を形成している。
剥離シート５２の剥離により、剥離シート５２により隠蔽されていた隠れデザインＤ０が視認可能となるとともに、第２デザインＤ２が視認可能となる。
【００５７】
第８の態様及び第９の態様によれば、剥離シート５２の剥離を契機として、剥離前のデザインとの関係で動的なデザイン変化を楽しむことができる。
【００５８】
以上、いくつかの態様を例にして本発明を説明した。剥離シートの剥離を契機としたデザイン変化には、教育的要素を多く含んでいる。また、親子で楽しむ要素を多く含んでいる。親子間のコミュニケーションの促進にも役立つ。
その結果、かかる使い捨ておむつ商品に対する訴求力が高まる。
【産業上の利用可能性】
【００５９】
本発明は、アウターの内面に固定される限り、パッドタイプ使い捨ておむつ以外の形態の使い捨ておむつにも利用可能である。
【符号の説明】
【００６０】
２１…液不透過性シート、２２…トップシート、２３…吸収体、２４…ギャザーシート、２５…外装シート、３０…粘着剤層、３１…剥離シート、５０…基材シート、５２…剥離シート、Ｄ０…隠れデザイン、Ｄ１…第１デザイン、Ｄ２…第２デザイン、ａｄ…付加デザイン要素、ｂｄ…異なるデザイン要素、ｃｄ…追加デザイン要素、１００…アウター、２００…パッドタイプ使い捨ておむつ。
【図１】
2019063004.tif 000003
【図２】
2019063004.tif 000004
【図３】
2019063004.tif 000005
【図４】
2019063004.tif 000006
【図５】
2019063004.tif 000007
【図６】
2019063004.tif 000008
【図７】
2019063004.tif 000009
【図８】
2019063004.tif 000010
【図９】
2019063004.tif 000011
【図１０】
2019063004.tif 000012
【図１１】
2019063004.tif 000013
【図１２】
2019063004.tif 000014
【図１３】
2019063004.tif 000015
【図１４】
2019063004.tif 000016
【図１５】
2019063004.tif 000017
【図１６】
2019063004.tif 000018